(57)【要約】【課題】コストの増加を抑えつつ、効率的且つ正確な出席状況の管理を可能にする。【解決手段】講義等における出席状況を管理するための出席状況管理システムであって、各種情報を記憶するマスタデータベース、複数の記号又は文字からなる暗証番号を作成する暗証番号作成手段、前記暗証番号と前記講義等に関する情報とを関連付けて前記マスタデータベースに記憶させる情報関連付け手段、任意の記号又は文字の入力を可能にする番号入力手段、前記番号入力手段により入力された入力番号を検知する入力番号検知手段、前記入力番号と前記暗証番号とを照合する番号照合手段、前記番号照合手段による照合結果に基づいて出席状況を判定する判定手段を備えて構成される。【選択図】図１
2005122523.tif 000002
【特許請求の範囲】
【請求項１】
講義等における出席状況を管理するための出席状況管理システムであって、
各種情報を記憶するマスタデータベース、
複数の記号又は文字からなる暗証番号を作成する暗証番号作成手段、
前記暗証番号と前記講義等に関する情報とを関連付けて前記マスタデータベースに記憶させる情報関連付け手段、
任意の記号又は文字の入力を可能にする番号入力手段、
前記番号入力手段により入力された入力番号を検知する入力番号検知手段、
前記入力番号と前記暗証番号とを照合する番号照合手段、
前記番号照合手段による照合結果に基づいて出席状況を判定する判定手段、
を備えて構成されることを特徴とする出席状況管理システム。
【請求項２】
前記マスタデータベースには、各受講者の固有情報と各受講者に振り当てられた受講者番号とが関連付けられて記憶されており、
前記番号照合手段は、前記受講者番号と前記入力番号とを照合することを特徴とする請求項１記載の出席状況管理システム。
【請求項３】
前記暗証番号作成手段は、擬似乱数を生成する擬似乱数生成手段を含んで構成され、
前記暗証番号は、所定の桁数からなる前記擬似乱数であることを特徴とする請求項１又は２記載の出席状況管理システム。
【請求項４】
前記擬似乱数は、５桁以上であることを特徴とする請求項３記載の出席状況管理システム。
【請求項５】
前記番号入力手段は、所定の通信端末機によりインターネットを介して閲覧可能であると共に前記入力番号の入力が可能な番号入力用サイトを管理するＷＥＢ管理手段を含んで構成されることを特徴とする請求項１〜４のいずれか１つに記載の出席状況管理システム。
【請求項６】
単数、又は互いに連携する複数のコンピュータを利用し、講義等における出席状況を管理するための出席状況管理システム用プログラムであって、
前記コンピュータを、
各種情報を記憶するマスタデータベース、
複数の記号又は文字からなる暗証番号を作成する暗証番号作成手段、
前記暗証番号と前記講義等に関する情報とを関連付けて前記マスタデータベースに記憶させる情報関連付け手段、
任意の記号又は文字の入力を可能にする番号入力手段、
前記番号入力手段により入力された入力番号を検知する入力番号検知手段、
前記入力番号と前記暗証番号とを照合する番号照合手段、
前記番号照合手段による照合結果に基づいて出席状況を判定する判定手段、
として機能させることを特徴とする出席状況管理システム用プログラム。
【請求項７】
前記マスタデータベースには、各受講者の固有情報と各受講者に振り当てられた受講者番号とが関連付けられて記憶されており、
前記番号照合手段に、更に、前記入力番号と前記受講者番号とを照合させることを特徴とする請求項１記載の出席状況管理システム用プログラム。
【請求項８】
前記コンピュータを、更に、
擬似乱数を生成する擬似乱数生成手段として機能させ、
前記暗証番号作成手段は、前記暗証番号を所定の桁数からなる前記擬似乱数とすることを特徴とする請求項６又は７記載の出席状況管理システム用プログラム。
【請求項９】
前記擬似乱数は、５桁以上であることを特徴とする請求項８記載の出席状況管理システム用プログラム。
【請求項１０】
前記コンピュータを、更に、
所定の通信端末機によりインターネットを介して閲覧可能であると共に前記入力番号の入力が可能な番号入力用サイトを管理するＷＥＢ管理手段として機能させることを特徴とする請求項６〜９のいずれか１つに記載の出席状況管理システム用プログラム。
【請求項１１】
前記請求項６〜１０のいずれか１つに記載の出席状況等管理用プログラムを記録したコンピュータ読み取り可能な記録媒体
【発明の詳細な説明】
【技術分野】
【０００１】
本発明は、大学の講義等において、受講者の出席状況等の管理を行うための技術に関するものである。
【背景技術】
【０００２】
従来から、大学の講義等における出欠席の確認は、主に出席カードと呼ばれるものを用いて行われている。この出席カードは、講義の開始時に学生達に配布され、配布された学生により名前や学生番号等が記入された後、講師により回収され、この回収された出席カードに記載された名前や学生番号により、学生達の出席状況が把握及び管理されている。
【０００３】
また、出席状況の管理に関する従来発明としては、次のようなものが開示されている。この従来発明は、学生を特定する学生ＩＤ情報が記憶された記憶手段を有するＩＣカードと、前記ＩＣカードをホルダーケース本体に挿入するカード挿入口と、前記カード挿入口から挿入された前記ＩＣカードの学生ＩＤ情報を読み取る読取手段と、前記読取手段で読み取った学生ＩＤ情報を送信用の情報に変換する変換手段と、前記変換手段によって変換された送信用の情報を送信する送信手段とを有するＩＣカードリモコンホルダーと、前記ＩＣカードリモコンホルダーから送信された情報を受信する受信手段を有する受信装置と、前記受信装置で受信された情報に基づいて学生の授業への出欠情報を記憶する記憶手段とを有して構成されるものである（特許文献１参照）。
【特許文献１】特開２００２−１４０６６８号公報
【発明の開示】
【発明が解決しようとする課題】
【０００４】
しかしながら、従来からの出席カードによる管理法では、出席カードに不在の学生の名前を記入する不正行為が容易に行われてしまうため、正確な出席状況の把握が困難であった。また、上記特許文献１に記載されるシステムにおいては、ＩＣカード、ＩＣカードリモコンホルダー、受信装置等の特有のハードウェアが必要であり、コスト等の面で不具合があると思われる。また、学生がＩＣカードを持参しなかった場合には、欠席扱いとなってしまうことにも不具合がある。
【０００５】
そこで、本発明は、コストの増加を抑えつつ、効率的且つ正確な出席状況の管理を可能にすることを課題とする。
【課題を解決するための手段】
【０００６】
上記課題を解決する本発明は、講義等における出席状況を管理するための出席状況管理システムであって、各種情報を記憶するマスタデータベース、複数の記号又は文字からなる暗証番号を作成する暗証番号作成手段、前記暗証番号と前記講義等に関する情報とを関連付けて前記マスタデータベースに記憶させる情報関連付け手段、任意の記号又は文字の入力を可能にする番号入力手段、前記番号入力手段により入力された入力番号を検知する入力番号検知手段、前記入力番号と前記暗証番号とを照合する番号照合手段、前記番号照合手段による照合結果に基づいて出席状況を判定する判定手段、を備えて構成されることを特徴とするものである（請求項１）。
【０００７】
このシステムによれば、例えば大学の講義等において、前記暗証番号が記載された出席カードを講義開始時に学生に配布し、講義終了後に、学生が自分に配られた出席カードに記載された暗証番号を所定の前記番号入力手段に入力することにより、この学生により入力された番号と、講義内容等と関連付けられて予め記憶された暗証番号とが一致するか否かが前記番号照合手段により照合され、一致する場合には、前記判定手段によってその入力者の出席が認められる。また、授業中使用する配布資料等にも前記暗証番号を付与しておくことにより、この配布物の受け取り状況等を管理することも可能となる。
【０００８】
また、上記請求項１記載の構成において、前記マスタデータベースには、各受講者の固有情報と各受講者に振り当てられた受講者番号とが関連付けられて記憶されており、前記番号照合手段は、前記受講者番号と前記入力番号とを照合することが望ましい（請求項２）。
【０００９】
例えば大学においては、前記受講者の固有情報とは、学生の氏名、学年、履修科目等に相当し、前記受講者番号とは、学生番号が相当する。そして、前記番号照合手段がこの学生番号の照合も行うようにするのである。尚、前記受講者番号がない場合であっても、入力者の氏名を直接入力する等の行為により、本発明の目的は十分に達成される。
【００１０】
また、上記請求項１又は２記載の構成において、前記暗証番号作成手段は、擬似乱数を生成する擬似乱数生成手段を含んで構成され、前記暗証番号は、所定の桁数からなる前記擬似乱数であることが望ましい（請求項３）。
【００１１】
また、上記請求項３記載の構成において、前記擬似乱数は、５桁以上であることが望ましい（請求項４）。
【００１２】
また、上記請求項１〜４記載の構成において、前記番号入力手段は、所定の通信端末機によりインターネットを介して閲覧可能であると共に前記入力番号の入力が可能な番号入力用サイトを管理するＷＥＢ管理手段を含んで構成されることが望ましい（請求項５）。
【００１３】
これにより、出席者は、インターネットに接続可能なパーソナルコンピュータや携帯電話等の通信端末機を用いて番号入力用サイトにアクセスし、このサイト内に設けられた入力画面において前記暗証番号を入力することができる。
【００１４】
また、本発明は、単数、又は互いに連携する複数のコンピュータを利用し、講義等における出席状況を管理するための出席状況管理システム用プログラムであって、前記コンピュータを、各種情報を記憶するマスタデータベース、複数の記号又は文字からなる暗証番号を作成する暗証番号作成手段、前記暗証番号と前記講義等に関する情報とを関連付けて前記マスタデータベースに記憶させる情報関連付け手段、任意の記号又は文字の入力を可能にする番号入力手段、前記番号入力手段により入力された入力番号を検知する入力番号検知手段、前記入力番号と前記暗証番号とを照合する番号照合手段、前記番号照合手段による照合結果に基づいて出席状況を判定する判定手段として機能させることを特徴とするものである（請求項６）。
【００１５】
また、上記請求項６記載の構成において、前記マスタデータベースには、各受講者の固有情報と各受講者に振り当てられた受講者番号とが関連付けられて記憶されており、前記番号照合手段に、更に、前記入力番号と前記受講者番号とを照合させることが望ましい（請求項７）。
【００１６】
また、上記請求項６又は７記載の構成において、前記コンピュータを、更に、擬似乱数を生成する擬似乱数生成手段として機能させ、前記暗証番号作成手段は、前記暗証番号を所定の桁数からなる前記擬似乱数とすることが望ましい（請求項８）。
【００１７】
また、上記請求項８記載の構成において、前記擬似乱数は、５桁以上であることが望ましい（請求項９）。
【００１８】
また、上記請求項６〜９記載の構成において、前記コンピュータを、更に、所定の通信端末機によりインターネットを介して閲覧可能であると共に前記入力番号の入力が可能な番号入力用サイトを管理するＷＥＢ管理手段として機能させることが望ましい（請求項１０）。
【００１９】
また、本発明は、上記請求項６〜１０のいずれか１つに記載の出席状況等管理用プログラムを記録したコンピュータ読み取り可能な記録媒体である（請求項１１）。
【発明の効果】
【００２０】
上記請求項１記載の構成により、欠席者や遅刻者が不正行為により出席扱いとなることを効果的に防止することができ、従来よりも正確な出席状況の把握が可能となる。また、本発明は、コンピュータに組み込まれるソフトウェア技術によってその大部分が構成されるものであるため、著しいコストの増加はない。更に、上記請求項２記載の構成のように、学生番号等の受講者番号がある場合には、これも照合することにより、出席者の確認が容易となると共に、各受講者の固有情報に関連した情報の作成も可能となる。更にまた、上記請求項３又は４記載の構成のように、前記暗証番号を５桁以上の乱数とすることにより、その組み合わせを天文学的数字とすることができるため、非出席者により適当に入力された番号が偶然に正規の暗証番号と一致してしまうといった不具合が起こる可能性はほとんどなく、確実な出席管理が可能となる。例えば、０〜９の数字、ａ〜ｚの小文字アルファベットにより７桁の暗証番号をつくる場合、その組み合わせは７８３億以上となる。また、上記請求項５記載の構成により、出席者による暗証番号の入力作業を利便化することができる。
【００２１】
また、上記請求項６〜１１記載の発明は、コンピュータを用いて上記請求項１〜５記載の発明と同様の効果を実現するものである。
【発明を実施するための最良の形態】
【００２２】
以下、添付した図面を参考にして本発明の実施例を説明する。
【実施例１】
【００２３】
図１に示す本実施例に係る出席状況管理システム１は、大学の講義における学生の出席状況等の管理に用いられるものであり、各種情報を記憶するマスタデータベース２、複数の文字列からなる暗証番号を作成する暗証番号作成手段３、前記暗証番号と講義に関する情報とを関連付けて前記マスタデータベース２に記憶させる情報関連付け手段４、学生の操作により任意の文字列の入力が可能な番号入力手段５、前記番号入力手段５により入力された入力番号を検知する入力番号検知手段６、前記入力番号と前記暗証番号とを照合する番号照合手段７、前記番号照合手段７による照合結果に基づいて出席状況を判定する判定手段８を有して構成され、一般的には、ＣＰＵ、ＲＯＭ、ＲＡＭ、ディスプレイ、インターフェイス等を有して構成される単数又は複数のコンピュータを、所定のプログラムによって上記データベース２及び手段３〜８として機能させることにより構成されるものである。
【００２４】
前記暗証番号作成手段３は、擬似乱数生成手段１０を含んで構成されており、この擬似乱数生成手段１０は、擬似乱数の組み合わせにより５桁以上の文字列を生成させるものである。例えば、０と１を除く数字、ｌとｏを除く小文字アルファベット、ＬとＯを除く大文字アルファベットからなる５６種の文字記号から擬似乱数による７桁の文字列を生成させる場合には、約１兆９５４８億通りの暗証番号を生成することができる。
【００２５】
前記情報関連付け手段４は、上記のようにして作成された暗証番号と、講義に関する情報とを関連付ける。即ち、科目、教員、曜日、時限、教室、実施日等の情報に対応して、各暗証番号を振り当てる。これにより、暗証番号から、どの科目に出席したか、どの教員による講義を受けたのか等を判明することができる。このような情報関連付け手段４の機能により、前記マスタデータベース２には、図２に示すような暗証番号データベース（ＤＢ）２１が構築される。
【００２６】
また、前記データベース２には、学生に関する情報を示す学生情報ＤＢ２２が構築されている。この学生情報ＤＢ２２においては、各学生の固有情報と学生番号（請求項中の受講者番号に相当）とが関連付けられており、即ち各学生番号に対応して、学生の氏名、mailアドレス等が記録されている。
【００２７】
前記番号入力手段５は、インターネット１１、インターネット１１上で閲覧可能な番号入力用ＷＥＢサイトの管理を行うＷＥＢ管理手段１２、インターネット１１へのアクセスが可能なパーソナルコンピュータ、携帯電話等の不特定多数の通信端末機１３を含んで構成される。この構成により、利用者（学生）は、通信端末機１３を操作することにより、インターネット１１に接続して前記番号入力用ＷＥＢサイトにアクセスし、このＷＥＢサイトにおいて任意の番号を入力することができる。
【００２８】
前記入力番号検知手段６は、前記通信端末機１３によって入力された入力番号を、前記ＷＥＢ管理手段１２を介して検知する。そして、前記番号照合手段７は、入力番号検知手段６によって検知された入力番号と、前記マスタデータベース２内に記憶された番号、即ち前記暗証番号ＤＢ２１に記憶された暗証番号及び前記学生情報ＤＢ２２に記憶された学生番号とを照合する。
【００２９】
前記判定手段８は、前記番号照合手段７の照合結果に基づいて、どの学生がどの授業に出席、遅刻したか等を判定する。この判定に基づいて、前記マスタデータベース２には、例えば図２に示すような出席状況ＤＢ２３を構築することができる。この出席状況ＤＢ２３において、２５及び２６は、出席状況を学生（学生番号）毎のまとめたものであり、２７及び２８は科目毎にまとめたものの例である。
【００３０】
上記構成の出席状況管理システム１を利用した出席管理は、図３に示すフローチャートのように行われる。先ず、ステップ１００において、前記暗証番号作成手段３によって暗証番号が作成され、次いで、ステップ１０１において、この暗証番号と講義に関する情報とを関連付ける。そして、ステップ１０２において、図４に示すように、出席カード３０に前記暗証番号３１を印刷し、ステップ１０３において、前記出席カード３０を教室にいる学生に配布する。その後、前記出席カード３０を受け取った学生達は、ステップ１０４において、前記番号入力手段５の一部を構成する通信端末機１３（図１参照）を操作して、インターネット１１上に公開される番号入力用ＷＥＢサイトにおいて、自分に配布された出席カードの暗証番号と自分の学生番号とを入力する。すると、ステップ１０５において、前記入力番号検知手段６により入力された暗証番号及び学生番号が検知され、ステップ１０６において、前記暗証番号照合手段７により前記暗証番号及び学生番号の照合が行われ、暗証番号及び学生番号が正規のものである場合には、ステップ１０７において、この学生は出席していたと判定され、マスタデータベース２内においてデータの整理が行われる（図２参照）。
【産業上の利用可能性】
【００３１】
以上のように、本発明によれば、大学等の講義を行う場において、コストの増加を抑えつつ、効率的且つ正確な出席状況の管理を可能とするシステムを提供することができる。
【図面の簡単な説明】
【００３２】
【図１】図１は、本発明に係る出席状況管理システムの構成を示す図である。
【図２】図２は、マスタデータベース内の構造例を示す図である。
【図３】図３は、本発明に係る出席状況管理システムを利用した出席管理処理の流れを示すフローチャートである。
【図４】図４は、本発明の実施時において配布される出席カードの例を示す図である。
【符号の説明】
【００３３】
１  出席状況管理システム
２  マスタデータベース
３  暗証番号作成手段
４  情報関連付け手段
５  番号入力手段
６  入力番号検知手段
７  番号照合手段
８  判定手段
１０  擬似乱数生成手段
１１  インターネット
１２  ＷＥＢ管理手段
１３  通信端末機
【図１】
2005122523.tif 000003
【図２】
2005122523.tif 000004
【図３】
2005122523.tif 000005
【図４】
2005122523.tif 000006